【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
患者の腹膜腔に流入をもたらすための入口ポート；
患者の腹膜腔からの流出をもたらすための出口ポート；
ある容量の透析物、該透析物は患者の腹膜腔内に流入し、該腹膜腔から流出し、それにより、該透析物中に拡散した尿毒性老廃代謝産物が該透析物から除去される；
患者の腹膜腔内に透析物を流し、該腹膜腔から外に流すための、ポンプを含む閉鎖系液流ループ；
該閉鎖系液流ループ内に少なくとも1つの交換可能なカートリッジを含む有機物およびリン酸塩の除去ステージ、該カートリッジは、患者の腹膜腔から除去された透析物から有機化合物およびリン酸塩を除去するための物質を含む；ならびに
該閉鎖系液流ループ内に少なくとも1つの交換可能なカートリッジを含む尿素およびアンモニアの除去ステージ、該カートリッジは、患者の腹膜腔から除去された透析物から尿素およびアンモニアを除去するための物質を含み、該物質が、カチオンを拒絶する繊維内壁を有する半透過性中空繊維の周囲に充填され、それにより透析物中にカチオンが保持される、
を備える、腎機能障害または腎不全を有する患者のための携帯型腹膜透析システム。
【請求項２】
有機化合物およびリン酸塩を除去するためのカートリッジ内の物質が、活性炭と酸化ジルコニウムの混合物を含む、請求項１記載の携帯型腹膜透析システム。
【請求項３】
有機化合物およびリン酸塩を除去するためのカートリッジ内の物質が、半透過性中空繊維の周囲に充填される、請求項２記載の携帯型腹膜透析システム。
【請求項４】
尿素およびアンモニアを除去するためのカートリッジ内の物質が、ウレアーゼおよび強酸カチオン交換樹脂または吸着剤を含む、請求項２記載の携帯型腹膜透析システム。
【請求項５】
吸着剤がイオン交換吸着剤を含む、請求項４記載の携帯型腹膜透析システム。
【請求項６】
ウレアーゼが架橋ナタマメ粉ポリエチレンイミン-炭素複合材の形態である、請求項４記載の携帯型腹膜透析システム。
【請求項７】
該閉鎖系液流ループ内に少なくとも1つの交換可能なカートリッジを含むアンモニア除去ステージをさらに含む、携帯型腹膜透析システムであって、該カートリッジが、患者の腹膜腔から除去された透析物からアンモニアを除去するための物質を含み、該物質が、カチオンを拒絶する繊維内壁を有する半透過性中空繊維の周囲に充填され、それにより透析物中にカチオンが保持される、請求項４記載の携帯型腹膜透析システム。
【請求項８】
カチオンを拒絶する繊維内壁を有する中空繊維が、カルシウム、マグネシウム、カリウムおよびナトリウムのカチオンを拒絶する、請求項７記載の携帯型腹膜透析システム。
【請求項９】
アンモニアを除去するためのカートリッジ内の物質が、強酸カチオン交換樹脂またはイオン交換吸着剤を含む、請求項１記載の携帯型腹膜透析システム。
【請求項１０】
該閉鎖系液流ループ内に少なくとも1つの交換可能なカートリッジを含む有機物およびリン酸塩を除去し、かつpHを制御するステージをさらに含む、携帯型腹膜透析システムであって、該カートリッジが、患者の腹膜腔から除去された透析物から有機化合物を除去するための物質、および透析物のpHを生理学的pHまたはその付近に制御するための物質を含む、請求項１記載の携帯型腹膜透析システム。
【請求項１１】
有機化合物を除去するためのカートリッジ内の物質が、活性炭を含み、透析物のpHを制御するためのカートリッジ内の物質が、酸化ジルコニウムと炭酸ジルコニウムナトリウムの混合物を含む、請求項１０記載の携帯型腹膜透析システム。
【請求項１２】
患者が着用するのに適合されたベルトとして構成されている、請求項１記載の携帯型腹膜透析システム。
【請求項１３】
患者がベルトとして着用するのに適合された一体型ループ、または卓上ドッキングユニットにドッキングされる一体型ループとして構成されている、請求項１記載の携帯型腹膜透析システム。
【請求項１４】
卓上ユニットとして構成されている、請求項１記載の携帯型腹膜透析システム。
【請求項１５】
患者の腹膜腔に流入をもたらすための入口ポート；
患者の腹膜腔からの流出をもたらすための出口ポート；
ある容量の透析物、該透析物は患者の腹膜腔内に注入され、該腹膜腔から排出され、それにより、該透析物中に拡散した尿毒性老廃代謝産物が該透析物から除去される；
透析物を、患者から、携帯型腹膜透析システム中を通って、患者に戻るように循環させるための閉鎖系液流ループ；
透析物を患者の腹膜腔内に流し、尿毒性老廃代謝産物を含む透析物を該患者の腹膜腔から外へ流すための、閉鎖系液流ループに取り付けられたポンプ；
該閉鎖系液流ループ内に少なくとも1つの交換可能なカートリッジを含む有機物およびリン酸塩の除去ステージ、該カートリッジは、患者の腹膜腔から除去された透析物から有機化合物およびリン酸塩を除去するための物質を含む；
該閉鎖系液流ループ内に少なくとも1つの交換可能な尿素およびアンモニアの除去カートリッジを含む尿素およびアンモニアの除去ステージ、該カートリッジは、患者の腹膜腔から除去された透析物から尿素およびアンモニアを除去するための物質を含み、該物質が、カチオンを拒絶する繊維内壁を有する半透過性中空繊維の周囲に充填され、それにより透析物中にカルシウム、マグネシウム、カリウムおよびナトリウムのカチオンが保持される；
該閉鎖系液流ループ内に少なくとも1つの交換可能なカートリッジを含むアンモニア除去ステージ、該カートリッジはアンモニアを除去するための物質を含み、該物質は、カチオンを拒絶する繊維内壁を有する半透過性中空繊維の周囲に充填され、それにより透析物中にカルシウム、カリウムおよびナトリウムのカチオンが保持される；ならびに
該閉鎖系液流ループ内に少なくとも1つの交換可能なカートリッジを含む、有機物およびリン酸塩を除去し、かつpHを制御するステージ、該カートリッジは、有機化合物を除去するための物質、および透析物のpHを生理学的pHまたはその付近に制御するための物質を含む、
を備える、患者のための携帯型腹膜透析システム。
【請求項１６】
患者に腹膜透析を提供するための方法に使用するための、患者の腹膜腔の内外および透析物再生ステージ中にある容量の透析物を流すための閉鎖系液流ループを含む携帯型腹膜透析システムであって、該方法は
a）患者の腹膜腔からのある容量の透析物を、該閉鎖系液流ループ内に少なくとも1つの交換可能なカートリッジを含む有機物およびリン酸塩の除去ステージに流す工程、該カートリッジは、患者の腹膜腔から除去された透析物から有機化合物およびリン酸塩を除去するための物質を含む；その後
b）該ある容量の透析物を、該閉鎖系液流ループ内に少なくとも1つの交換可能なカートリッジを含む尿素およびアンモニアの除去ステージ内に含まれた半透過性中空繊維に流す工程、該カートリッジは、患者の腹膜腔から除去された透析物から尿素およびアンモニアを除去するための物質を含み、該物質は該半透過性中空繊維の周囲に充填され、該半透過性中空繊維は、カチオンを拒絶する繊維内壁を有し、それにより、透析物中に拡散した尿毒性老廃代謝産物は透析物から除去されるが、カチオンは透析物中に保持され、再生透析物が得られる；ならびに
c）再生透析物を患者の腹膜腔内に導入する工程
を含む、携帯型腹膜透析システム。
【請求項１７】
有機化合物およびリン酸塩を除去するためのカートリッジ内の物質が、活性炭と酸化ジルコニウムの混合物を含む、請求項１６記載の携帯型腹膜透析システム。
【請求項１８】
有機化合物およびリン酸塩を除去するためのカートリッジ内の物質が、半透過性中空繊維の周囲に充填される、請求項１７記載の携帯型腹膜透析システム。
【請求項１９】
尿素およびアンモニアを除去するためのカートリッジ内の物質が、ウレアーゼおよび強酸カチオン交換樹脂または吸着剤を含む、請求項１７記載の携帯型腹膜透析システム。
【請求項２０】
吸着剤がイオン交換吸着剤を含む、請求項１９記載の携帯型腹膜透析システム。
【請求項２１】
ウレアーゼが架橋ナタマメ粉ポリエチレンイミン-炭素複合材の形態である、請求項１９記載の携帯型腹膜透析システム。
【請求項２２】
該方法はさらに、閉鎖系液流ループ内に少なくとも1つの交換可能なカートリッジを含むアンモニア除去ステージに該ある容量の透析物を流す工程を含み、該カートリッジは、患者の腹膜腔から除去された透析物からアンモニアを除去するための物質を含み、該物質が、カチオンを拒絶する繊維内壁を有する半透過性中空繊維の周囲に充填され、それにより透析物中にカチオンが保持される、請求項１９記載の携帯型腹膜透析システム。
【請求項２３】
カチオンを拒絶する繊維内壁を有する中空繊維が、カルシウム、マグネシウム、カリウムおよびナトリウムのカチオンを拒絶する、請求項２２記載の携帯型腹膜透析システム。
【請求項２４】
アンモニアを除去するためのカートリッジ内の物質が、強酸カチオン交換樹脂またはイオン交換吸着剤を含む、請求項１６記載の携帯型腹膜透析システム。
【請求項２５】
該方法はさらに、該閉鎖系液流ループ内に少なくとも1つの交換可能なカートリッジを含む有機物およびリン酸塩を除去し、かつpHを制御するステージに該ある容量の透析物を流すことを含み、該カートリッジが、患者の腹膜腔から除去された透析物から有機化合物を除去するための物質、および透析物のpHを生理学的pHまたはその付近に制御するための物質を含む、請求項１６記載の携帯型腹膜透析システム。
【請求項２６】
有機化合物を除去するためのカートリッジ内の物質が活性炭を含み、透析物のpHを制御するためのカートリッジ内の物質が酸化ジルコニウムと炭酸ジルコニウムナトリウムの混合物を含む、請求項２５記載の携帯型腹膜透析システム。
【請求項２７】
システムが、患者が着用するのに適合されたベルトとして構成されている、請求項１６記載の携帯型腹膜透析システム。
【請求項２８】
システムが、患者がベルトとして着用するのに適合された一体型ループ、または卓上ドッキングユニットにドッキングされる一体型ループとして構成されている、請求項１６記載の携帯型腹膜透析システム。
【請求項２９】
システムが卓上ユニットとして構成されている、請求項１６記載の携帯型腹膜透析システム。